(57)【要約】【課題】呈色反応を示す試薬液を用いて被検査面における汚染物質の有無を検査するときに、一つの用具で２回の検査を行うことができ、検査作業を一つの動作により行うことができる検査用具を提供する。【解決手段】  被検査面から試料を採取する綿棒１０の両端部に綿球１２ａ、１２ｂを設け、呈色反応を示す試薬液を綿球１２ａ、１２ｂに含浸させ、綿棒１０を１本ずつ個別に密封して収容する細長形状の包装体１４を備え、包装体１４の、長手方向における中央部を、長手方向と交差する方向に切断可能とし、包装体１４を二つに分離できるようにした。【選択図】図１
0003127906.tif 000002
【実用新案登録請求の範囲】
【請求項１】
綿棒を使用して被検査面から試料を採取し、呈色反応を示す試薬液を用いて被検査面における汚染物質の有無を検査する検査用具において、
前記綿棒の両端部にそれぞれ綿球を設けて、それらの綿球の少なくとも一方に前記試薬液を含浸させ、
少なくとも一部が可撓性もしくは柔軟性を有する材料で形成され前記綿棒を１本ずつ個別に密封して収容する細長形状の包装体を備え、その包装体の、長手方向における中央部を、長手方向と交差する方向に切断可能として、包装体を二つに分離することができるようにしたことを特徴とする検査用具。
【考案の詳細な説明】
【技術分野】
【０００１】
この考案は、綿棒を使用して被検査面から試料を採取し、呈色反応を示す試薬液を用いて被検査面における汚染物質の有無を検査する検査用具に関する。
【背景技術】
【０００２】
食品工場や飲食店などのように厳しい衛生管理が求められる事業所では、そこで使用される機械や器具、調理台などを十分に洗浄し、その上で、それらの機械、器具等の表面にタンパク質、デンプン、油脂、糖などの汚染物質が残留していないかどうかを検査する必要がある。被検査面における汚染物質の有無を検査するためには従来から、綿棒を使用し被検査面から試料を綿球に移し取って採取し、呈色反応を示す試薬液に綿棒の綿球を接触させて、発色するかどうかを観察する、といった方法が行われている。
【０００３】
例えば、タンパク質の有無を検査する場合には、１ｗ／ｖ％のビシコニン酸ナトリウムと２ｗ／ｖ％のＮａ２ＣＯ３と０．１６ｗ／ｖ％の酒石酸ナトリウムと０．４ｗ／ｖ％のＮａＯＨと０．９５ｗ／ｖ％のＮａＨＣＯ３とを含む水溶液１ｍｌに、ＣｕＳＯ４・５Ｈ２Ｏの４ｗ／ｖ％水溶液を数滴添加して混合し、この混合試薬液に、機械や器具などの被検査物の表面から採取した試料が付着した綿棒の綿球を漬ける。そして、室温で１５分程度放置して反応させた後に、混合試薬液の色を観察し、混合試薬液の色が赤紫色に変化したときにタンパク質が存在していると判定する。
【０００４】
上記したような検査を行う検査用具として、従来、１本の綿棒を収容する綿棒収容部と、１回の検査に必要な量の試薬液を収容する試薬液収容部とを、互いに隔離するように試験容器に設けたものが提案されている（例えば、特許文献１参照。）。
【特許文献１】特開２００１−４１９５４号公報（第２−３頁、図１−図４）
【考案の開示】
【考案が解決しようとする課題】
【０００５】
上記した検査用具は、検査を１回だけ行うことができるものである。また、上記検査用具を用いた検査作業は、綿棒を使用して被検査面から試料を拭き取り、試料が付着した綿棒の綿球を試薬液に浸漬させる、といった二つの動作により行われる。
【０００６】
この考案は、以上のような事情に鑑みてなされたものであり、一つの用具で２回の検査を行うことができるとともに、検査作業を一つの動作により行うことができる検査用具を提供することを目的とする。
【課題を解決するための手段】
【０００７】
請求項１に係る考案は、綿棒を使用して被検査面から試料を採取し、呈色反応を示す試薬液を用いて被検査面における汚染物質の有無を検査する検査用具において、前記綿棒の両端部にそれぞれ綿球を設けて、それらの綿球の少なくとも一方に前記試薬液を含浸させ、少なくとも一部が可撓性もしくは柔軟性を有する材料で形成され前記綿棒を１本ずつ個別に密封して収容する細長形状の包装体を備え、その包装体の、長手方向における中央部を、長手方向と交差する方向に切断可能として、包装体を二つに分離することができるようにしたことを特徴とする。
【考案の効果】
【０００８】
請求項１に係る考案の検査用具を用いて被検査面における汚染物質の有無を検査するときは、包装体を長手方向における中央部で切断し、二つに分離された一方の包装体構成片の上から綿棒を摘んだ状態で、他方の包装体構成片を綿棒から抜き外して、綿棒の、試薬液を含浸させた一方の綿球を露出させる。そして、一方の包装体構成片の上から綿棒を摘んだまま、露出した綿球で被検査面を拭うことにより、被検査面上の試料が綿球に移し取られる。この後、前記他方の包装体構成片を元のように、綿球に試料を移し取った綿棒に外挿し、そのまま放置して試料と試薬液とを反応させ、綿球に含浸させた試薬液の発色の有無を観察することにより、被検査面における汚染物質の有無を判定する。また、前記他方の包装体構成片の上から綿棒を摘んだ状態で、前記一方の包装体構成片を綿棒から抜き外して、綿棒の他方の綿球を露出させることにより、もう一回検査を行うことが可能である。
したがって、請求項１に係る考案の検査用具を使用すると、一つの用具で２回の検査を行うことができるとともに、検査作業を一つの動作により行うことができる。
【考案を実施するための最良の形態】
【０００９】
以下、この考案の最良の実施形態について図面を参照しながら説明する。
図１および図２は、この考案の実施形態の１例を示し、図１は、検査用具の平面図であり、図２は、その側面図である。
【００１０】
この検査用具は、両端部にそれぞれ綿球１２ａ、１２ｂが設けられた綿棒１０と、綿棒１０に沿った細長形状を有し綿棒１０を１本ずつ個別に密封して収容する包装体１４とから構成されている。綿棒１０の綿球１２ａ、１２ｂには、呈色反応を示す試薬液が含浸している。包装体１４は、柔軟性（もしくは可撓性）を有する平面状フィルム１６の上面に柔軟性（もしくは可撓性）を有する透明のカバーフィルム１８の周縁部を貼着して形成されている。カバーフィルム１８は、綿棒１０を包囲することができる形状に成形されており、平面状フィルム１６の上面とカバーフィルム１８の凹部内面とで囲まれる空間に綿棒１０が収容される。また、包装体１４は、切断用指標２０で示す長手方向における中央部位置において長手方向と交差する方向に切断することができるフィルム材料で形成されており、右側包装体構成片１４ａと左側包装体構成片１４ｂとの二つの部分に分離することができるようになっている。
【００１１】
上記構成を備えた検査用具を用いて、食品工場の機械や器具、飲食店の調理器具や調理台などの被検査面にタンパク質、デンプン、油脂、糖などの汚染物質が残留していないかどうかを検査するときは、まず、包装体１４を長手方向における中央部で切断して二つの部分に分離する。そして、図３に平面図を示すように、一方の包装体構成片、図示例では右側包装体構成片１４ａの上から綿棒１２を摘んだ状態で、もう一方の左側包装体構成片１４ｂを綿棒１０から抜き外し、図４に平面図を示すように、綿棒１０の一方の綿球１２ａを露出させる。次に、図５に斜視図を示すように、手指で右側包装体構成片１４ａの上から綿棒１２を摘んだまま、露出した綿球１２ａで被検査面を拭うことにより、被検査面上の試料を綿球１２ａに移し取る。綿棒１２の綿球１２ａで拭った被検査面は、布巾やティッシュ等で拭っておく。この後、図６に平面図を示すように、綿棒１０から先に抜き外しておいた左側包装体構成片１４ｂを、綿棒１０の綿球１２ａに被せるようにして綿棒１０に外挿し、図７に平面図を示すように、元通りに右側包装体構成片１４ａおよび左側包装体構成片１４ｂ内に綿棒１０を収容する。この状態のまま放置して、綿棒１０の綿球１２ａに含浸した試薬液と綿球１２ａに移し取られた試料とを反応させる。そして、所定時間後に、綿棒１０の綿球１２ａに含浸した試薬液の発色の有無を観察することにより、被検査面における汚染物質の有無を判定する。また、引き続き、同じ検査用具を用いて、機械や器具、調理台などの別の部位や別の機械や器具、調理台などの検査を行うときは、図８に平面図を示すように、左側包装体構成片１４ｂの上から綿棒１２を摘んだ状態で、右側包装体構成片１４ａを綿棒１０から抜き外し、綿棒１０の綿球１２ｂを露出させて、上記と同様の操作を行う。
【００１２】
上記したように、この検査用具を使用すると、一つの用具で２回分の検査を行うことができる。また、従来のように、被検査面から綿棒の綿球に試料を移し取り、試料が付着した綿棒の綿球を試薬液に浸漬させる、といった二つの動作ではなく、この検査用具では、被検査面から綿棒１０の綿球１２ａ、１２ｂに試料を移し取る一つの動作により検査作業を行うことができる。
【００１３】
なお、包装体は、包装体構成片の上から綿棒を摘むことができるものであれば一部のみが可撓性もしくは柔軟性を有する材料で形成されていてもよい。また、綿棒１０の二つの綿球１２ａ、１２ｂにそれぞれの異なる種類の試験薬を含浸させるようにしてもよいし、綿棒１０の一対の綿球１２ａ、１２ｂのうち一方の綿球だけに試薬液を含浸させ、他方の綿球には試験薬を含浸させないでおき、その他方の綿球に試料を移し取った後に、その綿球を、必要に応じて別途用意した適宜の試験薬に浸漬させて別の検査を行うことができるようにしてもよい。
【図面の簡単な説明】
【００１４】
【図１】この考案の実施形態の１例を示し、検査用具の平面図である。
【図２】図１に示した検査用具の側面図である。
【図３】図１に示した検査用具を用いて検査する一連の操作のうちの一操作を説明するための平面図である。
【図４】同じく、一連の操作のうちの一操作を説明するための平面図である。
【図５】同じく、一連の操作のうちの一操作を説明するための斜視図である。
【図６】同じく、一連の操作のうちの一操作を説明するための平面図である。
【図７】同じく、一連の操作のうちの一操作を説明するための平面図である。
【図８】同じく、一連の操作のうちの一操作を説明するための平面図である。
【符号の説明】
【００１５】
１０  綿棒
１２ａ、１２ｂ  綿球
１４  包装体
１４ａ、１４ｂ  包装体構成片
１６  平面状フィルム
１８  カバーフィルム
２０  切断用指標
【図１】
0003127906.tif 000003
【図２】
0003127906.tif 000004
【図３】
0003127906.tif 000005
【図４】
0003127906.tif 000006
【図５】
0003127906.tif 000007
【図６】
0003127906.tif 000008
【図７】
0003127906.tif 000009
【図８】
0003127906.tif 000010